(57)【特許請求の範囲】
【請求項１】
一対のレンズ部と、鼻ベルト部と、ヘッドバンド部とを有し、前記鼻ベルト部によって前記レンズ部の内端部分どうしがつながり、前記ヘッドバンド部によって前記レンズ部の外端部分どうしが前記ヘッドバンド部の長さを調節可能につながる水中眼鏡であって、
前記ヘッドバンド部は、水中眼鏡着用者の頭部に掛回された状態において、頭部の後方に当接するバンド中央部と、前記頭部の後方から前記頭部の前方へ向かって延びる両バンド端部とを含み、前記両バンド端部のそれぞれにはバックルが取り付けられ、
前記バックルは、枠部と、前記枠部の内側を仕切る仕切り部と、前記仕切り部によって形成された複数のバンド挿通孔と、前記バンド挿通孔の少なくともいずれかひとつよりも前記頭部の後方に形成された突起部とを含み、
前記両バンド端部は、前記頭部の後方から前記レンズ部の外端部分にまで延びる第１部分と、前記外端部分から前記頭部の後方へ向かって折り返される第２部分と、前記第２部分の長さ方向に間欠的に形成され前記第２部分の幅方向へ延びる肉厚部と、前記肉厚部に形成され前記突起部に抜脱可能に挿入される複数の透孔とを含み、
前記肉厚部の少なくともいずれかひとつは、前記バンド挿通孔に挿入された状態において、前記仕切り部に当接することを特徴とする前記水中眼鏡。
【請求項２】
前記第１部分のそれぞれは、前記バックルの前記挿通孔に通されるときに前記ヘッドバンド部の長さ方向において屈曲した状態にあり、前記第２部分の前記肉厚部が、前記屈曲した状態にある部分に前記頭部の後方から前記頭部の前方へ向かう方向において当接する請求項１記載の水中眼鏡。
【発明の詳細な説明】
【技術分野】
【０００１】
この発明は、遊泳や競泳等で使用するのに好適な水中眼鏡に関する。
【背景技術】
【０００２】
従来、一対のレンズ部の内端部どうしを鼻ベルト部でつなぎ、外端部どうしをヘッドバンド部でつなぎ、バックルによってそのヘッドバンド部が長さ調節可能な水中眼鏡は周知である。例えば、特開２００２−４５４３９号公報（特許文献１）に開示された水中眼鏡は、一対のレンズ部それぞれの外端部にバックルとして機能するヘッドバンド部掛回部と突起部とを有する。水中眼鏡着用者の頭部の後方から頭部前方へ向かって延びたヘッドバンド部は、掛回部に掛け回されて折り返された後に、ヘッドバンド部の長さ方向へ間欠的に形成されている透孔にバックルの突起部が挿入されることによって所要の長さに調整される。
【特許文献１】特開２００２−４５４３９号公報
【発明の開示】
【発明が解決しようとする課題】
【０００３】
特許文献１に記載された水中眼鏡は、ヘッドバンド部に形成された透孔に対してバックルの突起が挿抜されるだけでヘッドバンド部の長さを調整することができるという調整作業の簡便さを有する反面、突起が確実に挿入されなければ、ヘッドバンド部がレンズ部材の外端部から外れてしまうという可能性がある。また、水中眼鏡を着用したときにヘッドバンド部に作用する張力は、突起が挿入されている透孔の周縁部分に集中するから、水中眼鏡を繰り返し使用しているとその周縁部分が傷み易いという場合がある。
【０００４】
この発明は、特許文献１に記載されている如き水中眼鏡において、レンズ部の外端部で頭部の後方へ向かうように折り返されたヘッドバンド部がその外端部から簡単に外れることがないように改良を施すこと、およびヘッドバンド部に形成された透孔の周縁部分が傷むことがないように改良を施すことを課題にしている。
【課題を解決するための手段および発明の効果】
【０００５】
前記課題を解決するために、この発明が対象とするのは、一対のレンズ部と、鼻ベルト部と、ヘッドバンド部とを有し、前記鼻ベルト部によって前記レンズ部の内端部分どうしがつながり、前記ヘッドバンド部によって前記レンズ部の外端部分どうしが前記ヘッドバンド部の長さを調節可能につながる水中眼鏡である。
【０００６】
かかる水中眼鏡において、この発明が特徴とするところは、次のとおりである。
前記ヘッドバンド部は、水中眼鏡着用者の頭部に掛回された状態において、頭部の後方に当接するバンド中央部と、前記頭部の後方から前記頭部の前方へ向かって延びる両バンド端部とを含み、前記両バンド端部のそれぞれにはバックルが取り付けられる。
前記バックルは、枠部と、前記枠部の内側を仕切る仕切り部と、前記仕切り部によって形成された複数のバンド挿通孔と、前記バンド挿通孔の少なくともいずれかひとつよりも前記頭部の後方に形成された突起部とを含む。
前記両バンド端部は、前記頭部の後方から前記レンズ部の外端部分にまで延びる第１部分と、前記外端部分から前記頭部の後方へ向かって折り返される第２部分と、前記第２部分の長さ方向に間欠的に形成され前記第２部分の幅方向へ延びる肉厚部と、前記肉厚部に形成され前記突起部に抜脱可能に挿入される複数の透孔とを含む。
前記肉厚部の少なくともいずれかひとつは、前記バンド挿通孔に挿入された状態において、前記仕切り部に当接する。
【０００７】
この発明に係る水中眼鏡では、両バンド部の第１部分と第２部分とが、バックルのバンド挿通孔に挿入されることにより、互いに重なり合い、重なり合った部分と、突起部に挿入された透孔とにより、水中眼鏡を着用したときにヘッドバンド部にかかる張力を支えることができる。さらに、ヘッドバンド部の第２部分に形成された肉厚部が、バックルの仕切り部に当接することにより、より一層ヘッドバンド部にかかる張力を支えることができる。したがって、透孔に突起部が挿入されたヘッドバンド部に張力が作用しても、透孔の周縁部は傷み難い。このような水中眼鏡では、それを着用したときにヘッドバンド部の透孔に対する突起部の挿入が不完全な場合であっても、ヘッドバンド部がレンズ部の外端部から簡単には外れない。
【０００８】
【０００９】
【００１０】
この発明の好ましい実施態様の他の一つにおいて、前記第１部分のそれぞれは、前記バックルの前記挿通孔に通されるときに前記ヘッドバンド部の長さ方向において屈曲した状態にあり、前記第２部分の前記肉厚部が、前記屈曲した状態にある部分に前記頭部の後方から前記頭部の前方へ向かう方向において当接する。
【００１１】
この発明に係る水中眼鏡では、ヘッドバンド部の端部のうちの第２部分に形成されている肉厚部が、第１部分のうちの屈曲した状態にある部分に頭部の後方から当接しているから、水中眼鏡を着用してヘッドバンド部に張力が作用すると、その張力は、互いに当接する肉厚部と屈曲した状態にある部分とに支えられ、突起部が挿入されている透孔の周縁部分には及び難い。それゆえ、この水中眼鏡では、着用を繰り返しても、ヘッドバンド部における透孔の周縁部分は傷むことがない。
【発明を実施するための最良の形態】
【００１２】
添付の図面を参照して、この発明に係る水中眼鏡の詳細を説明すると、以下のとおりである。
【００１３】
図１に斜視図で示された水中眼鏡１は、一対のレンズ部２と、鼻ベルト部３と、ヘッドバンド部４とを有する。レンズ部２は、ポリカーボネート樹脂やアクリル樹脂等の硬質樹脂で形成されたレンズ６と、レンズ６と一体に形成されたフレーム７と、水中眼鏡着用者の顔面に密着させるシリコン樹脂やウレタン樹脂、天然ゴム等の軟質弾性材料で形成されたパッド８とを有する。フレーム７は、水中眼鏡着用者の鼻部（図示せず）寄りに位置する内端部１１と、耳部（図示せず）寄りに位置する外端部１２とを有する。鼻ベルト部３は、レンズ部２それぞれの内端部１１に好ましくは着脱可能な状態にあって、レンズ部２の内端部１１どうしをつないでいる。ヘッドバンド部４は、水中眼鏡着用者の頭部に掛け回されるもので、着用状態において、頭部の後方に当接するバンド中央部１６と、頭部の後方から頭部の前方へ延びる両バンド端部１７と、バンド端部１７のそれぞれに取り付けられているバックル１８とを有する。端部１７は、レンズ部２の外端部１２に形成されているベルト通し１９に通されて頭部の後方へ向かって延びる第２部分（以下、折り返し部分２１とする）を有する。折り返し部分２１では、ヘッドバンド部４の長さを調節するための複数の透孔２２がヘッドバンド部４の長さ方向に間欠的に並んでいる。バックル１８は、ポリカーボネート樹脂やアクリル樹脂、ＡＢＳ樹脂等の硬質プラスチックで形成されており、ヘッドバンド部４の透孔２２に挿抜可能な突起部２３を有する。
【００１４】
図２，３は、図１のＩＩ−ＩＩ線矢視図とバックル１８の斜視図とであって、図２では、水中眼鏡１の一部分が断面図で示されている。水中眼鏡１は、レンズ部２とパッド８とが一体的に成形されており、パッド８はレンズ部２から外れることがない。ヘッドバンド部４におけるバックル１８では、第１枠部３１と第２枠部３２との間が第１仕切り部３３と第２仕切り部３４とで仕切られることによって、バンド端部１７が挿通される第１、第２、第３バンド挿通孔２６，２７，２８が水中眼鏡着用者の頭部後方から前方へ順に並ぶように形成されている。図３において上下方向へ延びる第１枠部３１、第２枠部３２、第１仕切り部３３、第２仕切り部３４のそれぞれは、ヘッドバンド部４の長さ方向へ互いに平行して延びる第３枠部３５ａと第４枠部３５ｂとにつながっている。第１枠部３１には突起部２３が形成されており、その突起部２３は、長円形の頂部３６（図１参照）と円柱状の軸部３７とを有し、軸部３７は長さＬを有する。図２において、ヘッドバンド部４の端部１７は、第１部分（以下、頭部の前方へ向かって延びる部分とする）がバックル１８の内側にあり、幅の広い第１挿通孔２６と幅の狭い第２挿通孔２７とに通された後に、レンズ部２の外端部１２において折り返されている。端部１７のうちの折り返し部分２１は、バックル１８の内側から第１挿通孔２６とほぼ同じ幅を有する第３挿通孔２８に通され、さらに後方へ延びる部分では複数の透孔２２のうちの一つに対して突起部２３が挿入されている。突起部２３は、水中眼鏡１が着用されるときに、ヘッドバンド部４を所要の長さに維持すると同時に、折り返し部分２１の揺れ動きを抑えるストッパーとして機能するもので、第１枠部分３１から折り返し部分２１と交差するように延びている。
【００１５】
図４は、ヘッドバンド部４における端部１７の斜視図である。端部１７は、外面１７ａと、内面１７ｂと、端面１７ｃとを有し、外面１７ａには肉厚部４１によって凹凸が形成され、内面１７ｂは平滑に形成されている。肉厚部４１は、端部１７の幅全体にわたって延びており、端面１７ｃにおける形状は幅Ｗを有する台形ないし弧に形成されている。肉厚部４１のそれぞれには、外面１７ａと内面１７ｂとの間を貫通する透孔２２が形成されており、かような肉厚部４１は、端部１７における透孔２２の周縁部分の強度向上に寄与している。また、好ましい肉厚部４１は、その厚さＴが突起部２３の軸部３７の長さＬとほぼ同じであるうえに、透孔２２の径が軸部３７の径とほぼ同じであって、透孔２２に突起部２３が挿入されると、図２に示されているように突起部２３の頂部３６と軸部３７とに密着する。さらに図２に示されているように、突起部２３の近傍において、ヘッドバンド部４の端部１７が頭部の前方へ向かって第１挿通孔２６から第２挿通孔２７へと延びる部分４２に対して肉厚部４１のうちの肉厚部４１ａが頭部の後方から当接している。かようなヘッドバンド部４では、水中眼鏡１が着用されて、折り返し部分２１に矢印Ａ（図２参照）で示す頭部前方へ向かう方向の張力が作用すると、その張力は、折り返し部分２１の幅全体に延びる肉厚部４１が端部１７の部分４２と当接するところで支えられる。したがって、張力は、突起部２３が挿入されている透孔２２の周縁部分に集中するということがなく、その周縁部分は傷むことがない。折り返し部分２１は透孔２２の周囲で損傷を受けることがない。また、その張力は、肉厚部４１が形成されている折り返し部分２１の幅全体で支えられるから、折り返し部分２１は、その幅全体がほぼ一様に伸長して、透孔２２の近傍だけが著しく伸長するということがない。但し、この発明は、このように作用する肉厚部４１を持たず厚さが一様で平坦なヘッドバンド部４を使用して実施することも可能であって、そのような水中眼鏡１は、図１の水中眼鏡１ほどに顕著ではないが、第１仕切り部３３の近傍で平坦な端部１７どうしが重なり合って水中眼鏡１の着用時に生じる張力を支え、突起部２３が挿入されている透孔２２の周縁部分に張力が集中することを避けることができる。
【００１６】
図５は、この発明に係る水中眼鏡１に使用可能なバックル１８の一態様を示す図３と同様な図である。このバックル１８では、突起部２３が第２仕切り部３４に形成されている。このバックル１８を使用した水中眼鏡１では、図２に示されているように、ヘッドバンド部４の端部１７が第１、第２、第３挿通孔２６，２７，２８に通されると、第３挿通孔２８の近傍において肉厚部４１のうちの肉厚部４１ｂ〈図２参照〉が端部１７のうちの前方へ向かう部分に当接することによって、図３に例示のバックル１８ほどに顕著ではないが、突起部２３が挿入されている透孔２２の周縁部分に張力が集中することを避けることができる。
【産業上の利用可能性】
【００１７】
この発明によれば、ヘッドバンド部がレンズ部の外端部分から簡単には外れることのない水中眼鏡の製造が可能になる。
【図面の簡単な説明】
【００１８】
【図１】水中眼鏡の斜視図。
【図２】図１のＩＩ−ＩＩ線矢視図。
【図３】バックルの斜視図。
【図４】ヘッドバンド部の部分斜視図。
【図５】バックルの一態様を示す図３と同様な図。
【符号の説明】
【００１９】
１    水中眼鏡
２    レンズ部
３    鼻ベルト部
４    ヘッドバンド部
１１    内端部分
１２    外端部分
１７    端部
１８    バックル
２１    折り返し部分
２２    透孔
２３    突起部
２６    バンド挿通孔
２７    バンド挿通孔
２８    バンド挿通孔
４１    肉厚部
４２    部分
【図１】
0004236600.tif 000002
【図２】
0004236600.tif 000003
【図３】
0004236600.tif 000004
【図４】
0004236600.tif 000005
【図５】
0004236600.tif 000006